【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
画像形成装置と外部装置が接続可能であり、
前記画像形成装置から前記外部装置へ信号を送信する第１の信号線と、
前記外部装置から前記画像形成装置へ信号を送信する第２の信号線と、を備え、
前記画像形成装置と前記外部装置に電力が供給されている第１のモードと前記第１のモードより前記外部装置に供給される電力の少ない第２のモードと、を有する画像形成システムであって、
前記第１のモードでは、
前記第１の信号線を介して画像形成装置から外部装置への信号が送信され、前記第２の信号線を介して外部装置から画像形成装置への信号が送信され、
前記第２のモードでは、
前記第１の信号線を介して画像形成装置から外部装置へ電力が供給され、前記第２の信号線を介して外部装置から画像形成装置へ外部装置の状態変化に関する情報が送信されることを特徴とする画像形成システム。
【請求項２】
前記外部装置は、
外部装置の状態変化を検知する検知手段と、
前記検知手段に電力を供給する供給手段と、を備え、
前記第１のモードでは、
前記供給手段により前記検知手段に電力を供給し、
前記第２のモードでは、
前記第１の信号線を介して画像形成装置から供給される電力が前記検知手段に供給されることを特徴とする請求項１に記載の画像形成システム。
【請求項３】
前記第２のモードでは、前記供給手段からの電力の供給を遮断することを特徴とする請求項２に記載の画像形成システム。
【請求項４】
前記第２のモードにおいて、前記画像形成装置は、前記第２の信号線を介して送信される前記状態変化に関する情報に基づき前記外部装置に状態変化があったと判断すると、前記第１のモードに切り替えることを特徴とする請求項１乃至３のいずれか１項に記載の画像形成システム。
【請求項５】
前記外部装置は、複数の給紙カセットを有し、
前記第２の信号線を介して、前記複数の給紙カセットのうちいずれかの給紙カセットに状態変化が発生すると、前記状態変化に関する情報が送信されることを特徴とする請求項１乃至４のいずれか１項に記載の画像形成システム。
【請求項６】
前記画像形成装置と複数の外部装置が接続可能であり、
前記第２の信号線を介して、前記複数の外部装置のうちいずれかの外部装置に状態変化が発生すると、前記状態変化に関する情報が送信されることを特徴とする請求項１乃至５のいずれか１項に記載の画像形成システム。
【請求項７】
検知手段は、前記複数の給紙カセットの状態変化に関する情報を前記第２の信号線を介して前記画像形成装置に送信させるための、前記複数の給紙カセットに対応する複数のトランジスタを有することを特徴とする請求項５に記載の画像形成システム。
【請求項８】
前記複数の外部装置のそれぞれに備えられている検知手段のうち、いずれの検知手段によって検知された前記状態変化に関する情報も前記第２の信号線を介して前記画像形成装置に送信されることを特徴とする請求項６に記載の画像形成システム。
【請求項９】
前記第１の信号線は、前記画像形成装置から前記外部装置にクロックを送信するためのクロック信号線、又は前記画像形成装置から前記外部装置にコマンドを送信するためのコマンドを送信するためのコマンド信号線であり、
前記第２の信号線は、前記外部装置から前記画像形成装置にステータスを送信するためのステータス信号線であることを特徴とする請求項１乃至８のいずれか１項に記載の画像形成システム。
【請求項１０】
前記画像形成装置は、画像形成装置の動作を制御する第１の制御手段を備え、
前記外部装置は、外部装置の動作を制御する第２の制御手段を備え、
前記第１の制御手段と前記第２の制御手段は、前記第１の信号線及び前記第２の信号線を用いて通信を行うことを特徴とする請求項１乃至９のいずれか１項に記載の画像形成システム。
【請求項１１】
外部からの信号を受信する第１の信号線と、
外部へ信号を送信する第２の信号線と、
装置内の状態変化を検知する検知手段と、
前記検知手段に電力を供給する供給手段と、を備え、
状態検知装置に電力が供給される第１のモードと前記第１のモードより状態検知装置に供給される電力の少ない第２のモードと、を有する状態検知装置であって、
前記第１のモードでは、
前記供給手段により前記検知手段に電力を供給し、且つ前記第１の信号線を介して外部からの信号を受信し、前記第２の信号線を介して外部へ信号を送信し、
前記第２のモードでは、
前記第１の信号線を介して外部から供給される電力が前記検知手段に供給され、前記第２の信号線を介して前記検知手段により検知された装置内の状態変化に関する情報を外部に送信することを特徴とする状態検知装置。
【請求項１２】
前記第２のモードでは、前記供給手段からの電力の供給を遮断することを特徴とする請求項１１に記載の状態検知装置。
【請求項１３】
複数の給紙カセットを有し、
前記第２の信号線を介して、前記複数の給紙カセットのうちいずれかの給紙カセットに状態変化が発生すると、前記状態変化に関する情報を外部に送信することを特徴とする請求項１１又は１２に記載の状態検知装置。
【請求項１４】
前記検知手段は、前記複数の給紙カセットの状態変化に関する情報を前記第２の信号線を介して前記外部に送信するための、前記複数の給紙カセットに対応する複数のトランジスタを有することを特徴とする請求項１３に記載の状態検知装置。
【請求項１５】
画像形成装置と外部装置が接続可能であり、
前記画像形成装置から前記外部装置へ信号を送信する第１の信号線と、
前記外部装置から前記画像形成装置へ信号を送信する第２の信号線と、を備え、
前記画像形成装置と前記外部装置に電力が供給されている第１のモードと前記第１のモードより前記外部装置に供給される電力の少ない第２のモードと、を有する画像形成システムであって、
前記第１のモードでは、
前記第１の信号線を介して画像形成装置から外部装置への信号が送信され、前記第２の信号線を介して外部装置から画像形成装置への信号が送信され、
前記第２のモードでは、
前記画像形成装置から外部装置へ電力が供給され、前記第２の信号線を介して外部装置から画像形成装置へ外部装置の状態変化に関する情報が送信されることを特徴とする画像形成システム。
【請求項１６】
外部からの信号を受信する第１の信号線と、
外部へ信号を送信する第２の信号線と、
装置内の状態変化を検知する検知手段と、を備え、
状態検知装置に電力が供給される第１のモードと前記第１のモードより状態検知装置に供給される電力の少ない第２のモードと、を有する状態検知装置であって、
前記第１のモードでは、
前記第１の信号線を介して外部からの信号を受信する、又は前記第２の信号線を介して外部へ信号を送信し、
前記第２のモードでは、
外部から供給される電力が前記検知手段に供給され、前記第２の信号線を介して前記検知手段により検知された装置内の状態変化に関する情報を外部に送信することを特徴とする状態検知装置。
【手続補正２】
【補正対象書類名】明細書
【補正対象項目名】００１２
【補正方法】変更
【補正の内容】
【００１２】
上記目的を達成するため、画像形成装置と外部装置が接続可能であり、前記画像形成装置から前記外部装置へ信号を送信する第１の信号線と、前記外部装置から前記画像形成装置へ信号を送信する第２の信号線と、を備え、第１のモードと前記第１のモードより前記外部装置に供給される電力の少ない第２のモードと、を有する画像形成システムであって、前記第１のモードでは、前記第１の信号線を介して画像形成装置から外部装置への信号が送信され、前記第２の信号線を介して外部装置から画像形成装置への信号が送信され、前記第２のモードでは、前記第１の信号線を介して画像形成装置から外部装置へ電力が供給され、前記第２の信号線を介して外部装置から画像形成装置へ外部装置の状態変化に関する情報が送信されることを特徴とする。